(57)【要約】  本発明群は、高価物品への無断アクセスを防止して保護するパッケージングに関する。この保護方法およびパッケージングにおいて、保護手段は、改ざんに際して破壊可能となっている。保護手段は、パッケージング材料の一体結合層の構造中に配置され、各パッケージング構成要素の合わせ面が互いに平行または０．０１°〜９０．０°の角度で傾斜しており、当該合わせ面間において、結合された段差の形態のロックジョイントを有し、当該ロックジョイントの少なくとも１つの表面が、改ざんに際して破壊される少なくとも１つの別の保護手段を有する。本発明によれば、様々な形態の品物に対する、より信頼性の高いパッケージングを製造可能である。
2016504246.tif 000002
【特許請求の範囲】
【請求項１】
改ざんに際して破壊可能な保護手段を有する少なくとも１つの単層材料で構成されたパッケージングを含む、重要な高価物品のパッケージングの改ざん防止保護のための方法であって、改ざんに際して破壊可能な前記保護手段が、パッケージング材料の外側および内側および／またはパッケージング材料の一体結合層の構造中に設けられ、各パッケージング構成要素の合わせ面が互いに平行または０．０１°〜９０．０°の角度で傾斜しており、当該合わせ面間において、ロックジョイントが少なくとも１つの段差の形態で構成され、当該ロックジョイントの少なくとも１つの表面上に、改ざんに際して破壊可能な少なくとも１つの別の保護手段が設けられたことを特徴とする、方法。
【請求項２】
コードの影像を含む画像、光線、導波路、無線周波数バーコード、マイクロテキストを含む深掘りオフセット印刷、透かし、通常の条件下では見えない金銀線細工および／もしくは重畳パターン、蛍光性の金属化磁性インクおよび繊維、マーク、保護スレッドおよびストライプ、目打ち線、回折格子、放電法により構成されたホログラムもしくはマーキング、改ざんにより酸化して変色するマンガン化合物等の材料、機械的負荷により変色するメカノフォアプラスチック、合わせ面の一部に適用され、通気により消失する、ヨードアルコキシドとデキストリンとの混合物、またはこれらの組み合わせが、改ざんに際して破壊可能な別の保護手段を含む前記保護手段として用いられることを特徴とする、請求項１に記載の方法。
【請求項３】
前記保護手段を有する少なくとも１つの単層パッケージング材料が、少なくとも１つの透明領域を前記パッケージングされた物品の目視検査用として、接着、化学的または熱的ジョイントにより一体構造とされたことを特徴とする、請求項１に記載の方法。
【請求項４】
ロックジョイントを備えたパッケージング構成要素の前記合わせ面が、１．０〜１００．０ｍｍの幅にて、当該パッケージングの合わせ面の縁部に沿った少なくとも２つのストリップの形態で構成されたことを特徴とする、請求項１に記載の方法。
【請求項５】
改ざんに際して破壊可能な別の光線の形態の前記保護手段が、前記材料の平面に対して、５．０°〜９０．０°の少なくとも１つの指定角に構成されたことを特徴とする、請求項１に記載の方法。
【請求項６】
本発明の一実施形態において、改ざんに際して破壊可能な前記パッケージングの合わせ面の接触面上の導波路または光線の形態の前記保護手段が、指定のアルゴリズムに従って配置され、当該光線が、互いに少なくとも２回交差するか、互いに指定の距離および／もしくはある角度で配置されるか、波状であるか、または円、正方形、長方形、正菱形、もしくは非正菱形等の幾何学的図形を形成していることを特徴とする、請求項１に記載の方法。
【請求項７】
２軸もしくは１軸配向ポリプロピレンまたは共押出ポリエチレン等の強度および弾力性がある耐摩耗性材料が前記パッケージング材料として用いられることを特徴とする、請求項１に記載の方法。
【請求項８】
ロゴ、組織名、パッケージング製造日、パッケージング業者、ならびに発送人および受取人の住所を含む前記物品に関する必要な情報が、通常の条件下では見えないインクを用いることにより、当該パッケージングされた物品の寸法に相当するパッケージング表面に前記別の保護手段として適用されたことを特徴とする、請求項１に記載の方法。
【請求項９】
保護手段を有する少なくとも１つの単層材料で構成された、偽造を防止する重要な高価物品のパッケージングであって、化学的ジョイント、接着、または共重合体もしくは共押出ポリエチレンとの熱融着によって一体結合された少なくとも２つの材料層により、ハウジング、底部、およびカバーを備えた容器の形態または前記パッケージングされた物品を縛るテープの形態で構成され、パッケージング構成要素またはテープ両側の結合面が、互いに平行または０．０１°〜９０．０°の角度となっており、当該合わせ面間において、ロックジョイントが少なくとも１つの段差の形態で構成され、当該ロックジョイントの少なくとも１つの表面上に、改ざんに際して破壊可能な少なくとも１つの別の保護手段を有することを特徴とする、パッケージング。
【請求項１０】
パッケージング構成要素の合わせ面上の前記ロックジョイントが３次元に構成され、高さがパッケージング材料の厚さの１．５〜５０．０倍であり、断面が当該合わせ面を接続する折れ線または曲線の形態であることを特徴とする、請求項９に記載のパッケージング。
【請求項１１】
前記容器の底部の直径または幅の０．２〜０．５倍に等しい幅を有する少なくとも１つのストリップの形態の当該底部またはその一部が、当該容器の内側に向かって凸状となっており、前記パッケージングされた物品がその検査および輸送中に当該容器の内側で移動することを防止したことを特徴とする、請求項９に記載のパッケージング。
【請求項１２】
パッケージング構成要素の合わせ面上の前記ロックジョイントが、互いに１０．０°〜７５．０°の角度で傾斜した襞の形態で構成され、前記別の保護手段として、前記襞の傾斜角を同一、増加、減少、または交互とすることができることを特徴とする、請求項９に記載のパッケージング。
【発明の詳細な説明】
【技術分野】
【０００１】
本発明は、ある法人または自然人から別の法人または自然人に送付または送信されるパッケージングされた証書および有価物品の改ざん防止保護方法に関する。
【背景技術】
【０００２】
パッケージングされた証書、有価物品、宝飾品類、または金銭の移送には、パッケージングの開梱、安全対策の改ざん、またはパッケージングされた物品の偽造品との置き換えを他者が試みようとする危険性が伴う。ただし、これらの困難にも関わらず、このようなパッケージングされた物品の移送には、依然として高い需要があるため、確実な改ざん防止保護対策および偽造品に対する保護が求められている。
【０００３】
パッケージングされた物品の偽造および改ざんに対する保護技術が知られている（ｗｗｗ．ａｐｏｓｔｒｏｆ−ｐｒｉｎｔ．ｒｕ参照）。品物に取り付けられた電子無線周波数識別コードを有する保護ラベルによれば、パッケージングされた物品の移動の監視および管理が可能となる。さらに、スキャナで識別可能なバーコードおよびシールに対して、目に見えないインクを適用することも可能である。
【０００４】
既知の技術は、改ざん保護があまり確実ではなく、偽造に対する保護が弱いため、欠点を有している。
【０００５】
宝石、真珠、硬貨、収集の価値がある郵便切手等の有価物品の保護方法および保護パッケージングが知られている（この方法の基本型については、２００９年６月３０日に公開されたＲＦ（ロシア連邦）実用新案第０１３５８９号を参照）。この実用新案は、透明のポリマー材料で構成された上側および下側構成要素を備え、当該上側構成要素が、たとえば上記物品のうちの少なくとも１つを載置するように設計されたセルの形態で構成された少なくとも１つの透明筐体を有する。パッケージングの上側構成要素の外側表面上には、装飾印刷模様が配置される。パッケージングの下側構成要素の内側表面上には、不可逆的破壊可能層が配置され、たとえば偽造に対してパッケージングを保護するとともに改ざんを検出するように設計されたホログラフィック被膜の形態で構成されている。パッケージングの上側および下側構成要素は、不可逆的破壊可能層によって接着結合される。
【０００６】
装飾印刷模様と上側構成要素の外側表面との間には、自己接着ラミネート紙が配置される。不可逆的破壊可能層は、二重ラミネートにより形成され、パッケージングの上側構成要素の透明ハウジング下に配置された少なくとも１つの透明領域を含む。装飾印刷模様および自己接着ラミネート紙は、透明領域を除いて、不可逆的破壊可能層と重なっている。ここで、パッケージングの下側構成要素は、肥厚ラミネートで構成されている。自己接着ラミネート紙は、紫外線放射への曝露によって可視化される特殊なインクおよび／または繊維を用いて適用されたインプリントを含む保護手段を有する。
【０００７】
有価または重要物品または文書のパッケージングに用いられる既知のコード化材料の欠点としては、側壁の幅がより大きいことから、パッケージングする物品のサイズを超えて、得られるパッケージングのサイズが大きくなり、また、保護度が低く、たとえば接着剤を溶解することによって層を分離することにより改ざんが可能となることが挙げられる。
【０００８】
ロシア連邦中央銀行の金塊および硬貨ならびに他国の硬貨に関して、製品の元の外観を長年にわたって保存可能なカプセルの形態のパッケージングが知られている（この装置の基本型については、Ａｌｂｉの透明バブルパッケージング（ｗｗｗ．ｃｏｉｎｂｏｘ．ｒｕ）を参照）。
【０００９】
硬貨のカプセルは、高品質のポリスチレンで構成されている。この最新技術によれば、製品の十分な透明性のほか、材料の高い強度、信頼性、および耐久性を確保可能である。硬貨のカプセルは、適当な高さの円筒ハウジングを備え、底部およびカバーを有する容器の形態で構成されている。金塊のカプセルは、底部およびカバーを有する長方形容器の形態で構成されている。
【００１０】
このカプセルの既知の設計の欠点としては、少額の硬貨の格納に使用するものであり、また、有価かつ多額の硬貨の格納には有用でないことが挙げられる。これは、カプセルを開放して、たとえば偽造品により有価硬貨を置き換えた後、カバーをカプセルのハウジングに再度取り付けることが可能なためである。
【発明の概要】
【発明が解決しようとする課題】
【００１１】
特許請求の範囲に係る本発明の目的は、確実な改ざん防止保護を保証するパッケージング技術および設計を開発することにある。
【課題を解決するための手段】
【００１２】
本発明の上記目的は、改ざんに際して破壊可能な保護手段を有する少なくとも１つの単層材料で構成されたパッケージングの作製を含む既知の技術的特徴と新たな特徴との組み合わせによって実現される。この新たな特徴は、以下の通りである。すなわち、パッケージングの開放に際して破壊可能な保護手段が、パッケージング材料の外側もしくは内側および／またはパッケージング材料の一体結合層の構造中に設けられ、結合時に噛み合う各パッケージング構成要素の表面が互いに平行または０．０１°〜９０．０°の角度となっており、当該合わせ面間において、ロックジョイントが少なくとも１つの段差の形態で構成され、当該ロックジョイントの少なくとも１つの表面上に、改ざんに際して破壊可能な少なくとも１つの保護手段を有する。
【００１３】
改ざんに際して破壊可能な別の保護手段を含む上記保護手段としては、コードの影像を含む画像、光線、導波路、無線周波数バーコード、マイクロテキストを含む深掘り（ディープ・エッチング）オフセット印刷、透かし、通常の条件下では見えない金銀線細工および／もしくは重畳パターン、蛍光性の金属化磁性インクおよび繊維、マーク、保護スレッドおよびストライプ、目打ち線、回折格子、放電法により構成されたホログラムもしくはマーキング、改ざんにより酸化して変色するマンガン化合物等の材料、機械的負荷により変色するメカノフォアプラスチック、合わせ面の一部に適用され、通気により消失する、ヨードアルコキシドとデキストリンとの混合物、またはこれらの組み合わせが用いられる。
【００１４】
保護手段を有する少なくとも１つの単層パッケージング材料は、少なくとも１つの透明領域をパッケージングされた物品の目視検査用として、接着、化学的または熱的結合により層を結合することによって一体構造とされている。
【００１５】
ロックジョイントを備えたパッケージング構成要素の結合された合わせ面は、１．０〜１００．０ｍｍの幅にて、パッケージングの合わせ面構成要素の縁部に沿った少なくとも２つのストライプの形態で構成されている。
【００１６】
改ざんに際して破壊可能な別の光線の形態の上記保護手段は、上記材料の平面に対して、５．０°〜９０．０°の少なくとも１つの指定傾斜角で設けられている。任意選択の一実施形態において、改ざんに際して破壊可能な上記パッケージングの合わせ面の接触面上の導波路または光線の形態の上記保護手段は、指定のアルゴリズムに従って配置され、当該光線が、互いに少なくとも２回交差するか、互いに指定の距離および／もしくはある角度で配置されるか、波状であるか、または幾何学的図形（たとえば、円、正方形、長方形、正菱形、もしくは非正菱形）を形成している。
【００１７】
上記パッケージング材料としては、２軸もしくは１軸配向ポリプロピレンまたは共押出ポリエチレン等の強度および弾力性がある耐摩耗性材料が用いられる。
【００１８】
別の保護手段としては、ロゴ、組織名、パッケージング製造日、パッケージング業者、ならびに発送人および受取人の住所を含む物品に関する必要な情報が、通常の条件下では見えないインクを用いることにより、当該パッケージングされた物品の寸法に相当するパッケージング表面に適用される。
【００１９】
本発明の上記設計目的は、保護手段を有する少なくとも１つの単層材料で構成されたパッケージングを含む既知の特徴と、化学的ジョイント、接着、または共重合体もしくは共押出ポリエチレンとの熱融着によって一体結合された少なくとも２つの材料層により、ハウジング、底部、およびカバーを備えた容器の形態またはパッケージングされた物品を縛るためのテープの形態で構成され、パッケージング構成要素またはテープ両側の結合面が、互いに平行または０．０１°〜９０．０°の角度となっており、当該合わせ面間において、ロックジョイントが少なくとも１つの段差の形態で構成され、当該ロックジョイントの少なくとも１つの表面上に、改ざんに際して破壊可能な少なくとも１つの別の保護手段を有するパッケージングという新たな特徴との組み合わせによって実現される。
【００２０】
パッケージング構成要素の合わせ面上のロックジョイントが３次元に構成され、高さがパッケージング材料の厚さの１．５〜５０倍であり、断面が各段を接続する折れ線または曲線の形態で構成されている。
【００２１】
上記容器の底部の直径または幅の０．２〜０．５倍に等しい幅を有する少なくとも１つのストリップの形態の当該底部またはその一部は、当該容器の内側に向かって凸状に構成されており、パッケージングされた物品がその検査および輸送中に当該容器の内側で移動することを防止している。
【００２２】
パッケージング構成要素の合わせ面上のロックジョイントは、互いに１０．０°〜７５．０°の角度で傾斜した襞の形態で構成され、別の保護手段として、当該襞の傾斜角を同一、増加、減少、または交互とすることができる。
【００２３】
特許請求の範囲に係る方法および発明の新規性は、改ざんに際して破壊可能な保護手段をパッケージング材料の外側もしくは内側および／またはパッケージング材料の一体結合層の構造中に設け、各パッケージング構成要素の合わせ面が互いに平行または０．０１°〜９０．０°の角度で傾斜しており、当該合わせ面間において、ロックジョイントが少なくとも１つの段差の形態で構成され、当該ロックジョイントの表面のうちの１つに、改ざんに際して破壊可能な少なくとも１つの保護手段が設けられていることにある。
【００２４】
このように、改ざんに際して破壊可能な少なくとも１つの別の保護手段をパッケージング材料の外側もしくは内側またはパッケージング材料の一体結合層の構造中に設けることにより、当該保護を損傷することなく層間およびパッケージング材料を貫通することが防止される。パッケージングの一体結合層によって、目に見える損傷なくパッケージングを開放することが不可能となるためである。
【００２５】
各パッケージング構成要素の合わせ面を互いに平行または０．０１°〜９０．０°の角度で傾斜させ、当該合わせ面間において、ロックジョイントを少なくとも１つの段差の形態で構成することにより、改ざんがさらに困難となる。このように、結合面を貫通してそのロックジョイントまで到達するに際して、パッケージング層および保護手段を損傷することなく第２の段に進入することは不可能である。これは、改ざん用具が障害物すなわち結合面間の段差に衝突することになるためである。
【００２６】
以下は、主要な特徴の特定の性能を意図するとともに、本発明の上記技術的結果を実現するための別の技術的特徴である。すなわち、改ざんに際して破壊可能な別の保護手段を含む上記保護手段として、コードの影像を含む画像、光線、導波路、無線周波数バーコード、マイクロテキストを含む深掘りオフセット印刷、透かし、通常の条件下では見えない金銀線細工および／もしくは重畳パターン、蛍光性の金属化磁性インクおよび繊維、マーク、保護スレッドおよびストライプ、目打ち線、回折格子、放電法により構成されたホログラムもしくはマーキング、改ざんにより酸化して変色するマンガン化合物等の材料、機械的負荷により変色するメカノフォアプラスチック、合わせ面の一部に適用され、通気により消失する、ヨードアルコキシドとデキストリンとの混合物、またはこれらの組み合わせを使用し、少なくとも１つの透明領域をパッケージングされた物品の目視検査用として、接着、化学的または熱的ジョイントにより層を結合することによって一体構造とされた保護手段を有する少なくとも１つの単層パッケージング材料を提供し、幅が１．０〜１００．０ｍｍであり、パッケージングの合わせ面構成要素の縁部に沿って配置された少なくとも２つのストライプの形態であるロックジョイントを備えたパッケージング構成要素の結合された合わせ面を構成し、上記材料の平面に対して、５．０°〜９０．０°の少なくとも１つの指定傾斜角で、改ざんに際して破壊可能な別の光線の形態の上記保護手段を提供し、改ざんに際して破壊可能なパッケージングの合わせ面の接触面上の導波路または光線であって、互いに少なくとも２回交差するか、互いに指定の距離および／もしくはある角度で配置されるか、波状であるか、または円、正方形、長方形、正菱形、もしくは非正菱形等の幾何学的図形を形成している導波路または光線を指定のアルゴリズムに従って配置し、２軸もしくは１軸配向ポリプロピレンまたは共押出ポリエチレン等の強度および弾力性がある耐摩耗性材料をパッケージング材料として使用し、通常の条件下では見えないインクを用いることにより、パッケージングされた物品の寸法に相当するパッケージング表面に対して、ロゴ、組織名、パッケージング製造日、パッケージング業者、ならびに発送人および受取人の住所を含む物品に関する必要な情報を別の保護手段として適用する。
【００２７】
本提案のパッケージングの新規性は、化学的ジョイント、接着、または共重合体もしくは共押出ポリエチレンとの熱融着によって一体結合された少なくとも２つの材料層の構成であって、ハウジング、底部、およびカバーを備えた容器の形態またはパッケージングされた物品を縛るためのテープの形態で構成され、パッケージング構成要素またはテープ両側の結合面が、互いに平行または０．０１°〜９０．０°の角度となっており、当該合わせ面間において、ロックジョイントが少なくとも１つの段差の形態で構成され、当該ロックジョイントの少なくとも１つの表面上に、改ざんに際して破壊可能な少なくとも１つの別の保護手段を有することにある。
【００２８】
このように、パッケージング材料の構造中において保護手段を一体構造とすることにより、パッケージングの無断貫通または層を分離させようとする試みが防止される。保護手段により、如何なる設計の道具であっても、別の層に溶接または接着された、ある材料層を分離させたり、目に見える破壊なく材料を貫通したりすることが不可能となるためである。
【００２９】
パッケージング構成要素の結合面を０．０１°〜９０．０°の傾斜角とすることにより、結合時に指定負荷を印加することによって、容器のハウジングとカバーまたは緊縛中のテープの、ある縁部と別の縁部とをしっかり結合することにより、接続の緩みを防止することができる。
【００３０】
パッケージング構成要素の結合面において、ロックジョイントを当該合わせ面間にて少なくとも１つの段差の形態で構成することにより、パッケージングの無断貫通がさらに確実に防止される。貫通に際しては、道具がロックジョイントの段差の形態の障害物に衝突し、さらに貫通しようとする場合に、パッケージングひいては保護手段の損傷が不可避となるためである。
【００３１】
以下は、本発明の上記目的の実現を促進する別の設計的特徴である。すなわち、パッケージング構成要素の合わせ面上のロックジョイントを３次元に構成し、高さをパッケージング材料の厚さの１．５〜５０．０倍とし、各段を接続する折れ線または曲線の形態で断面を構成し、容器の底部の直径または幅の０．２〜０．５倍に等しい幅を有する少なくとも１つのストリップの形態の当該底部またはその一部を当該容器の内側に向かって凸状に構成することにより、パッケージングされた物品がその検査および輸送中に当該容器の内側で移動することを防止し、パッケージング構成要素の合わせ面上のロックジョイントを互いに１０．０°〜７５．０°の角度で傾斜した襞の形態で構成し、別の保護手段として、当該襞の傾斜角を同一、増加、減少、または交互とすることができる。
【００３２】
実施した特許情報検索によれば、本発明として提案する特徴の如何なる組み合わせも関連技術に見受けられないため、本提案の特徴は新規性を有する。
【００３３】
本提案の新たな特徴と既知の特徴との組み合わせは、関連技術から明示的に得られるものではなく、自明ではないため、これらの特徴は発明の水準にあるものと考えることができる。
【００３４】
本願に示す本提案の特徴によれば、その産業上の利用可能性という結論に至ることが可能である。
【図面の簡単な説明】
【００３５】
【図１】カバーを備えた立方体の形状の容器ハウジングであって、改ざんからパッケージングを保護する本提案の方法が製造時に開示され、２段の傾斜接続面が上部に配置され、保護手段が容器材料全体の構造中かつ結合面上に配置された容器ハウジングを示した図である。
【図２】容器カバーの下内側傾斜面および容器ハウジングの上外側傾斜面の各段であって、保護手段が表面に適用された状態を模式的に示した図である。
【図３】パッケージングの外周に沿うロックジョイントの様々な種類であって、ａ）断面が折れ線の形態のΠ字状ロックジョイント、ｂ）凸線の形態のロックジョイント、ｃ）、ｄ）、およびｅ）三角折れ線の形態のロックジョイントを模式的に示した図である。
【図４】硬貨等のパッケージング用のカバーを備えた円筒カプセルを示した図である。
【図５】円筒カプセルハウジングの２段傾斜上部の外周に沿って適用されたバーコードを示した図である。
【図６】ハウジングの傾斜上部における２つの円形導波路の平行配置を示した図である。
【図７】容器ハウジングおよびカバーの傾斜合わせ側面上のロックジョイントであって、両者間に保護手段が適用された状態を示した図である。
【図８】容器ハウジングの側面の一部であって、交差する光線が傾斜上部の外周に沿って適用された状態を示した図である。
【図９】容器ハウジングの凸状底部を示した図である。
【図１０】検査および輸送中の硬貨の移動を防止する容器ハウジングの底部の凸状ストリップを示した図である。
【図１１】テープの形状に構成されたパッケージング材料の一部であって、その構造中に保護手段が適用された状態を示した図である。
【図１２】テープ両側に沿って適用され、指定のアルゴリズムに従って交差する光線の形態で構成された別の保護手段を示した図である。
【図１３】段差が介装された２段縁部を表すテープの拡大断面図である。
【図１４】テープを用いてパッケージングされた円筒物体を示した図である。
【図１５】テープを用いてパッケージングされた平行六面体の形状の物品を示した図である。
【図１６】テープを用いてパッケージングされた不定形状の物品を示した図である。
【図１７】外周に沿って傾斜角が等しい立方体の形状の容器ハウジングおよびそのカバーの襞状合わせ面であって、ａ）傾斜角が異なる場合、ｂ）傾斜角が小さくなる場合、ｃ）傾斜角が交互である場合を示した図である。
【発明を実施するための形態】
【００３６】
本提案の方法は、構造中に保護手段２が挿入された少なくとも１つの２層材料で構成されたハウジング１を備えた立方体の形態の容器等の形態で構成されたパッケージングを用いて実施される。ハウジング１の上部３およびカバー５の下部４は、０．１°〜９０°の角度で傾斜しており、少なくとも２段の表面６および７でロックジョイントが構成され（図２参照）、表面間の外周に沿って段差８が設けられている。また、各段の表面６および７上には、少なくとも１つの保護手段９が適用されている。また、図３には、ロックジョイントの様々な種類を示しており、ａ）、ｃ）、ｄ）、ｅ）は断面が折れ線の形態のロックジョイントであり、ｂ）は凸線の形態である。
【００３７】
たとえば硬貨用の容器の円筒ハウジング１０において、ハウジングの上部１１およびカバー１３の下部１２は、傾斜して少なくとも２段に構成されるか、またはロックジョイントを備えている（図４および図７参照）。点線１４は、容器の拡大可能な高さを示している。容器底部１５の直径または幅の０．２〜０．５倍に等しい幅を有する直径方向に配置されたストリップ１６等の形態の当該容器底部１５またはその一部は、凸状となっており、硬貨１７が容器の内側で移動することを防止している。不定形状の物品をパッケージングする材料は、２段のストリップ１９および２０が長手方向の縁部に沿うか、またはロックジョイントを備えたテープ１８の形態で構成され、指定のアルゴリズムに従って指定角で交差する光線等の形態の別の保護手段２１が適用されている。この別の保護手段は、ストリップ１９の底部側に適用され、ストリップ２０上では、その上部側に適用可能である。テープ１８を用いることによって、円筒物品２２、平行六面体の形状の物品２３、および不定形状の物品２４等、様々な形状の物品を確実にパッケージング可能である。パッケージングする物品を包むテープが、当該物品の表面に従うためである。
【００３８】
導波路２５および光線２６は、交差させるか、平行とするか、互いにある角度とするか、または指定のアルゴリズムに従わせることが可能であるとともに、規則的および不規則な幾何学的図形の形態で構成可能である。たとえば円筒容器の少なくとも１つの合わせ面上のバーコード２７は、目に見えるインクまたは見えないインクのほか、改ざんにより変色または消失するインクまたは塗料を用いて適用可能である。合わせ面上の襞２８は、等しい傾斜角および異なる傾斜角、ならびにそれらの組み合わせが可能であり、その表面をロックジョイントで２段にすると、改ざんがさらに困難となる。
【００３９】
本提案の方法は、以下のように実施する。有価の重要な物品、文書、金塊、装飾をパッケージングするため、まず、パッケージングする物品の寸法に対応した容器を作製するか、またはテープを使用する。このため、容器もしくはテープ材料の構造中および／またはその外側表面に少なくとも１つの保護手段２を適用し、上記材料の平面に対して５．０°〜９０．０°の角度で傾斜するとともに段差８を備えたロックジョイントの形態で構成されたハウジング１の上部およびカバー５の底部表面の合わせ面に対して、改ざんに際して破壊可能な別の保護手段９を適用する。
【００４０】
容器への物品のパッケージングは、以下のように行う。パッケージングする物品の技術的実施形態および物品上の画像の特定の特徴に応じて、容器の一部、たとえば側壁を透明とすることにより、パッケージングを開放することなく目視検査を行えるようにする。
【００４１】
パッケージングする物品を容器内に配置し、たとえば凸状の容器底部１５または容器底部の凸状のストリップ１６を用いることによって、硬貨１７等の物品の容器ハウジング１０における移動を防止するためのステップを行った後は、容器１のハウジングの上部３の外側表面およびカバーの底部の内側傾斜面４等、合わせ面に接合化合物を適用し、化学的もしくは熱的ジョイントまたは接着によって、当該表面を互いにしっかりと結合する。ここで、容器ハウジングのロックジョイントの２段の表面６および７は、カバー５の内側傾斜面のロックジョイントの同じ表面に接続され、その段差８が堅く噛み合う。同様に、硬貨、金塊、絵画、紙幣等の他の物品についても、様々な形状および構造の容器にパッケージングする。
【００４２】
テープを用いた物品のパッケージングは、パッケージングする物品をテープ１８で連続的に包装（緊縛）することによって行う。包装中、テープの後続する各巻回の突起８は、ストリップ１９および２０を用いることによって、テープの先行する巻回の突起に接続する。この際、ストリップ１９の表面直下に接合化合物を適用可能であり、表面２０には別の保護手段を適用可能である。あるいは逆に、ストリップ２０の底部表面に接合化合物を適用可能であり、上面１９には少なくとも１つの保護手段を適用可能である。
【００４３】
金塊等の非常に重い物品をパッケージングするには、金塊の形状に対応した容器を用い、断面が折れ線または曲率が変化する線の形態の３次元ロックジョイントを容器の外周に沿って設ける（図３ａ）、図３ｂ）、図３ｃ）、図３ｄ）、図３ｅ）参照）。また、ロックジョイントの表面間には、改ざん防止保護構成要素を設けることが可能である。
【００４４】
発明の最良の実施形態：銀貨をパッケージングするため、その高さおよび直径の寸法に対応した容器を２軸配向ポリプロピレン等の透明な２層材料で構成し、通常の条件下では見えないインクを用いることによって、バーコード２７の形態の保護手段を容器の一体構造中に埋め込んだ。容器ハウジング１０の傾斜部の上面１１およびカバー１３の底部１２の内側表面は、４５°の角度および５ｍｍの幅で２段に構成し（各段の幅が２．５ｍｍ）、段間に段差８を形成した。また、容器底部１５は、容器の内側に向かって凸状とした。容器の内側に向かって凸状の容器底部１５に硬貨１７を載置すると、この凸状の底部により、上縁の外周に沿って容器ハウジングの傾斜上部１１へと硬貨１７が弾性的に押圧されるため、硬貨は振っても移動しなくなった。そして、ハウジング１０の表面６に相当する、縁部に最も近い第１の表面に共押出ポリエチレンの接着化合物を適用し、容器ハウジング１０の上部４の外側傾斜面の表面７に相当する、縁部から最も遠い第２の表面に、目に見えないインクを用いたバーコードおよび接着化合物を適用した後、両表面を互いにしっかりと結合した。
【００４５】
この際、カバーの段差８には、ハウジングの段差をしっかりと結合させた。実験的な改ざんを試みた際、ハウジングおよびカバーの段差は損傷を受け、目に見えないインクを適用したバーコードも破壊された。
【００４６】
発明の実施形態：一方、保護蛍光繊維が構造中に埋め込まれるとともに指定のアルゴリズムに従って互いに厳密に平行とされた２層テープを用いることにより、円筒の形態のロールのパッケージングを行った。縁部から第１の内側表面１９には、共押出ポリエチレンの接着化合物の１０ｍｍ幅の層を適用し、テープの外側表面２０には、接着化合物のほか、目に見えないインクで構成された指定角で交差する線の形態の画像を適用した。テープ１８の連続する巻回は、当該テープ１８の段差と表面１９および２０とを堅く接触させた状態にて、側面で互いに慎重に重ね合わせた。３０分間保持した後、パッケージングを実験的に開放した。
【００４７】
この際、テープは損傷を受け、その縁部が断裂し、目に見えないインクで構成された画像が損傷を受け、表面１９および２０間の段差も損傷を受けた。
【００４８】
発明の実施形態：金塊をパッケージングするため、金塊の寸法に対応した長方形容器を使用した。当初は、容器ハウジングおよびカバーの結合面を平坦とした。また、容器の外周に沿って、２つの導波路を底部表面上で互いに平行に載置した。そして、容器内に金塊を配置した後、熱金型を用いた熱融着により、金塊の外周に沿ってΠ字状ロックジョイント（図３ａ参照）を形成した。容器縁部の形状を変化させた結果として、載置した導波路の平行性は保たれた。
【００４９】
実験的な開放においては、ロックジョイントにおける容器材料が損傷を受け、両導波路も損傷を受けた。
【００５０】
産業上の利用可能性：ハウジングは、接着または化学的ジョイントによって、容器カバーとも結合可能である。この際、結合面の外周に沿って、適当な形状のロックジョイントを構成することが第１に必要である。
【００５１】
改ざんに際して破壊可能な別の保護手段を含む上記保護手段として、コードの影像を含む画像、光線、導波路、無線周波数バーコード、マイクロテキストを含む深掘りオフセット印刷、透かし、通常の条件下では見えない金銀線細工および／もしくは重畳パターン、蛍光性の金属化磁性インクおよび繊維、マーク、保護スレッドおよびストライプ、目打ち線、回折格子、放電法により構成されたホログラムもしくはマーキング、改ざんにより酸化して変色するマンガン化合物等の材料、機械的負荷により変色するメカノフォアプラスチック、合わせ面の一部に適用され、通気により消失する、ヨードアルコキシドとデキストリンとの混合物、またはこれらの組み合わせを使用することにより、具体的な各事例において、改ざんから保護された信頼性のあるパッケージングを作成することができる。また、保護の種類と、材料を少なくとも２層かつ一体構造にすること、とを組み合わせることによって、保護の信頼性に何ら疑念の余地はなくなる。
【００５２】
パッケージングする物品の寸法に応じて、ロックジョイントの表面に１．０〜１００．０ｍｍ幅のストリップにて別の保護手段を適用する。ストリップの幅が１ｍｍ未満の場合は、適用する保護手段の選択の余地がほとんどない。また、１００ｍｍより広いストリップ上に別の保護手段を適用することは実用的でない。この場合は、保護の信頼性がわずかにしか高くならないためである。
【００５３】
損傷を受けやすい光線を５．０°未満の角度で適用するのは、非常に複雑なプロセスである。
【００５４】
指定のアルゴリズムに従って光線を様々な角度で適用すると、信頼性のある改ざん防止保護が得られる。
【００５５】
パッケージング材料として、２軸または１軸配向ポリプロピレン等の強度および弾力性がある耐摩耗性材料を使用すると、パッケージングされた物品の長期保管および長期使用が保証される。また、通常の条件下では見えないインクを用いることにより、パッケージングされた物品の寸法に相当するパッケージング表面に対して、ロゴ、組織名、パッケージング製造日、パッケージング業者、ならびに発送人および受取人の住所を含む物品に関する必要な情報を別の保護手段として適用することにより、パッケージングは、透明で、取り扱いが便利であり、パッケージングされた物品の検査の負担が大きくならなくて済む。
【００５６】
ロックジョイント表面の角度が様々な少なくとも１つの２段ジョイントを構成することにより、重くて嵩張る物品の確実なパッケージングが保証される。
【００５７】
パッケージング材料の厚さの１．５〜５０．０倍の高さでロックジョイントを構成することによって、パッケージングが無用に動き回ることがなくなる。凸状の底部またはその一部によって、パッケージングされた物品を容器中で弾性的に押圧することは、パッケージングされた物品の長期使用に寄与する。
【００５８】
容器の外周に沿って、傾斜角が１０．０°〜７５．０°の襞を様々に変形させて設けることにより、別の改ざん防止保護が得られる。
【００５９】
本提案の方法を用いることにより、信頼性があって、改ざんに対して保護され、合成ポリマー等の材料で構成されたパッケージングを提供可能になるとともに、本提案の方法を用いて本提案のパッケージングが施された物品を支払いの手段として確実に使用可能であり、また、パッケージングされた物品の真偽を専門的に調べることなく、その実際の価格および価値を反映させることが可能となる。ここで、パッケージングおよびその保護手段の完全性は、適当な検出器を用いて確認される。
【００６０】
パッケージングされた物品は、その保護対策およびパッケージングの完全性を保ちつつ、長期にわたって流通させることが可能である。また、パッケージングは、ポリマー紙幣の作製に用いられる材料と同じ材料で構成可能である。
【００６１】
本発明者は、技術文書を作成して、２段の接触面および最も簡単な保護手段を備えた容器の形態およびテープを用いた複数種類のパッケージングを試験的に生産した。また、本提案の容器にパッケージングし、テープで包装した物品の保護の高い信頼性を試験により実証した。
【図１−２】
2016504246.tif 000003
【図３】
2016504246.tif 000004
【図４−５】
2016504246.tif 000005
【図６】
2016504246.tif 000006
【図７】
2016504246.tif 000007
【図８】
2016504246.tif 000008
【図９】
2016504246.tif 000009
【図１０】
2016504246.tif 000010
【図１１】
2016504246.tif 000011
【図１２】
2016504246.tif 000012
【図１３】
2016504246.tif 000013
【図１４】
2016504246.tif 000014
【図１５−１６】
2016504246.tif 000015
【図１７】
2016504246.tif 000016
【国際調査報告】
2016504246.tif 000017
2016504246.tif 000018
2016504246.tif 000019